(57)【要約】【課題】  痴呆症などの患者が、自分の手をおむつ内へ挿入することを防止する為の介護用具の提供。【解決手段】  柔らかい凸部１の一方側には前紐２の両端を固定することで指挿入空間４を形成し、凸部１の他方側には２本の締結紐３ａ，３ｂを取付け、そして凸部１を手の甲に配置して指挿入空間４に中指５と薬指６を挿入すると共に締結紐３ａ，３ｂを手首７に締め付けて固定するようにしている。【選択図】    図２
2006312011.tif 000002
【特許請求の範囲】
【請求項１】
痴呆症などの患者が、自分の手をおむつ内へ挿入することを防止する為の介護用具において、柔らかい凸部には紐などの締結手段を備えて構成し、該凸部を手の甲や手の平に配置すると共に上記締結手段にて手に固定することを特徴とする介護用具。
【請求項２】
痴呆症などの患者が、自分の手をおむつ内へ挿入することを防止する為の介護用具において、柔らかい凸部を手袋の甲側又は手の平側に固定し、該手袋には手や手首に固定する為の締結手段を備えて構成したことを特徴とする介護用具。
【請求項３】
布袋内に小さな複数のビーズを詰めて上記凸部を構成した請求項１、又は請求項２記載の介護用具。
【請求項４】
上記凸部を発泡樹脂を成形して構成し、表面を布地で被覆した請求項１、又は請求項２記載の介護用具。
【請求項５】
上記締結手段として紐を用い、前紐の両端を凸部の一方側に固定することで指挿入空間を形成し、凸部の他方側には２本の締結紐を取付けた請求項１、請求項３、又は請求項４記載の介護用具。
【請求項６】
上記締結手段として、上記凸部の一方側に指挿入空間を形成する前紐を固定し、凸部の他方側には繋ぎを連結すると共に該繋ぎ先端には手首に拘束するバンドを設けた請求項１、請求項３、又は請求項４記載の介護用具。
【発明の詳細な説明】
【技術分野】
【０００１】
本発明は、痴呆症にある老人の手に取付けることで、手をオムツ内に入れることが出来ないようにする介護用具に関するものである。
【背景技術】
【０００２】
今日、痴呆症にかかっているお年寄りは多く、その介護に悩まされている家族は非常に多い。この痴呆症と言う病気は、人が長い時間をかけて積み重ねてきた記憶や知能などの精神的な能力が低下する病気であり、痴呆症になると記憶力や理解力が低下するばかりでなく、感情のコントロールが出来なく成り、物事に対する意欲がなくなってしまう。さらに、痴呆が進行すれば日常生活に支障を来たすなど、様々な問題が発生する。
【０００３】
人の脳は、私たちの精神、身体の働き全てをコントロールする司令塔であり、従って、脳に障害がおきた場合には心と身体の広い機能に障害が起きる。痴呆症は広い範囲の脳細胞が死んでしまうために起きる病気である為に、記憶力の低下、理解力の低下、感情のコントロール障害、性格の変化、精神的な能力低下の他に、排泄、更衣、入浴などの基本的な生活動作に障害を起こし、さらには歩行障害などの運動能力の低下を引き起こす。
【０００４】
ところが、今日ではこの痴呆症疾患を治したり、進行をくい止める特効薬はなく、病状に応じて根気よく介護をしなくてはならないのが実状である。病状が進んだ重症の痴呆症患者は一人でトイレに行くことが出来ず、その為にオムツを着用している。そして介護者はこのオムツを定期的に取り替えることは介護作業の中で大きな仕事となるが、それだけでなく、オムツの中に手を入れることで該手に便が付着し、さらにこの手で周囲を触ることで布団や衣類に便が付着してしまう。
【０００５】
痴呆症患者にとって寝ていることは退屈である為か、人間の習性であるのかは定かでないが、便が付着した手で周りに触れることで、その部屋だけでなく家中が臭く成ってしまう。介護者は便が付着した布団や衣類などを常に洗濯しなくてはならず、このことは介護者にとって肉体的にも精神的にも大きな負担となる。従来では、痴呆症患者の手をベッドに縛ることで拘束することもあったが、人権を無視した行為であることから最近では自粛している。
【０００６】
特開２００１−１３７２７０号に係る「介護用具及びおむつ」は、排泄物吸収パッドのパッド本体に非粘着性の係止面を設け、この係止面はパッド本体の防水材の外面全体に形成されており、この防水材には樹脂が直接含浸され、その樹脂が熱処理によって気泡化することにより、無数の微細な風船状の気泡が形成されている。従って、係止面は摩擦抵抗が増大する粗面と成っている。
【０００７】
特開２００２−１１９５５２号に係る「寝たきり患者の排便と身体清浄用の介護用具」は、寝たきりになった患者の排便時などに、便器を患者の身体の下方に挿入するには、患者の腰部を持ち上げる必要があるが、この発明はこの負担を軽減できて一般家庭に設置して手軽に使用できる介護用具である。
【特許文献１】特開２００１−１３７２７０号に係る「介護用具及びおむつ」
【特許文献２】特開２００２−１１９５５２号に係る「寝たきり患者の排便と身体清浄用の介護用具」
【発明の開示】
【発明が解決しようとする課題】
【０００８】
このように排便に関する介護用具は数多く知られている。しかし、痴呆症が進行すると単におむつを着用し、これを定期的に取り替えればよいといっただけでなく、該おむつ内部へ入れた手に便が付着することを防止する手立てがない。痴呆症患者の介護に当ってこれが最も大きな問題であり、何年にも及ぶ介護に肉体的にも精神的にも疲れてしまう。本発明はこの大きな問題を解決することが出来る介護用具を提供する。
【課題を解決するための手段】
【０００９】
本発明に係る介護用具とは柔らかいボール状の凸部と紐などの締結具から構成している。凸部としては柔らかいゴムや樹脂、又は綿や布を丸めて生地で包んだ物などで構成し、紐は手首や指に結んで外れないようにしている。勿論、紐でなくてもバンドを使用することも可能であり、しかし、バンドを締め付ける際に痛みを感じたり、手や指を必要以上に締め付けることは好ましくない。
【００１０】
一方、上記凸部を締結具にて手や手首に固定する場合だけでなく、手袋に凸部を取着し、該手袋を装着することで同じ機能を呈し得る。すなわち、手袋を介して凸部を手に取付けることが出来る訳で、この場合には該手袋の手首には外れ防止用のバンドなどの締結具が必要となる。
【発明の効果】
【００１１】
本発明の介護用具は柔らかい凸部を手の甲や手の平に取付けて紐などで締結することが出来る。従って、手には常に凸部が存在することに成り、この状態で、手をおむつ内部へ差込むことが出来なくなる。その為に、手に便が付着することは無く、勿論、布団や衣類が便で汚れることもない。従って、おむつを定期的に取り替えるだけでよく、介護者にとっての負担は大きく軽減される。そして、手の甲に紐などを介して取付けるだけの簡単なものであることから、製作コストは安く、しかしその効果は大きい。又、手の甲に柔らかい凸部を取付けても、他の物を掴んだりする自由が束縛されることはない。
【実施例】
【００１２】
図１は本発明に係る介護用具を示す実施例であり、(ａ)は平面図、(ｂ)は正面図を夫々表している。同図の１は凸部、２は前紐、３ａ，３ｂは締結紐を示し、該前紐２は上記凸部１の一方側底に取付けられ、同じく締結紐３ａ，３ｂも凸部１の他方側底に取付けられている。そして、前紐２はその両端が凸部１の底に固定されていることで概略Ｕ形をして指挿入空間４を形成している。
【００１３】
一方の締結紐３ａ，３ｂはその一方端だけが凸部底に縫い付けられて、先端は自由端と成って、両締結紐３ａ，３ｂは互いに結び合うことが出来る。ところで、上記凸部１は概略半球状を成した柔らかい材質から成り、例えば綿を丸めて布生地で包むことで構成することが出来る。従って、凸部１は柔らかく身体に手当っても痛くなく、勿論、ケガをすることはない。
【００１４】
又、該凸部１をウレタン樹脂やゴムなどの柔らかい材質で構成することも可能である。凸部１の形状は特に限定するものではないが、しかし、表面８は滑らかな曲面にて形成される凸部１であることが必要である。上記凸部１を布生地で構成している場合には、前紐２及び締結紐３ａ，３ｂも布生地を縫製して作られ、そして該凸部１の底に縫い付けることが出来る。
【００１５】
凸部１の材質がウレタン樹脂やゴムで構成する場合であれば、適当な材質で構成した前紐２及び締結紐３ａ，３ｂを金具にて固定することが出来る。ここで、前紐２及び締結紐３ａ，３ｂは凸部１を手の甲に取付ける為の１手段に過ぎず、これら実施例に示した紐形態に限定するものではない。
【００１６】
図２は本発明の介護用具を左手に取付けた場合を示している。凸部１は手の甲に配置され、該凸部１が動かないように、勿論、外れ落ちないように前紐２と締結紐３ａ，３ｂによって手に固定されている。前紐２で形成される指挿入空間４には中指５と薬指６を挿入し、２本の締結紐３ａ，３ｂは手首７に巻付いて結ばれている。従って、該凸部１は前紐２と締結紐３ａ，３ｂにて手の甲に固定される。
【００１７】
このように凸部１を手の甲に取付ける為の手段として前紐２と２本の締結紐３ａ，３ｂが用いられているが、本発明はこの取付け手段となる紐の形態は特に限定しない。基本的には手の動き、指の動きが拘束されないように、凸部１を手の甲に固定すればよい。図１に示した実施例の前紐２と２本の締結紐３ａ，３ｂは凸部１を簡単にしかも安定して取付けることが可能である。
【００１８】
ところで、痴呆症患者の手の甲に凸部１を取付けるならば、手をおむつ内へ差し入れることが出来なくなる。すなわち、手の甲から突出した凸部１が邪魔になって、おむつ内へ入れることが出来ない。従って、手に便が付着することはなく、介護者の負担は大きく軽減される。勿論、手の平側に凸部１を取付けることも可能である。
【００１９】
図３は手袋９に凸部１を取着している実施例である。該凸部１は手袋９の甲側に固定され、この状態で手袋９を手に装着するならば、前記図２に示したように手に取付けた場合と同じように機能する。手袋９の手首側にはバンド１０が縫い付けられ、そしてバンド１０の両先端には粘着テープ１１，１１（マジックテープ）が設けられている。従って、手袋９を装着すると共にバンド１０にて手首に固定することが出来る。ここで、上記手袋形態として、着用した際に指が出るように指先端部分が無い場合もある。
【００２０】
図4は本発明の更なる別形態である。凸部１は前記の通りであり、この凸部1の前側には指挿入空間４を形成した前紐2が縫い付けられ、後側には繋ぎ１２が連結している。そして該繋ぎ１２の先端にはバンド１０を設けている。バンド１０は手首に巻き付けることが出来る長さとし、両端部には互いに粘着することが出来る粘着テープ１１，１１を有している。
【００２１】
上記バンド１０を凸部１の後側に直接縫付けることも可能であるが、この実施例では繋ぎ１２を介在してバンド１０を設けている。そこで、前紐２の指挿入空間４に指を挿入すると共にバンド１０を手首に巻き付けた場合、該繋ぎ１２の存在にて凸部１は手の甲に圧着することなく、むしろ手の甲から浮き上がることが出来る。従って、凸部１を手の甲に取付けても窮屈感が発生しない。
【００２２】
本発明は手に凸部１を装着する介護用具であるが、装着する為に手に固定する締結手段を上記実施例の場合に限定するものではない。
ところで、上記凸部１は布袋に樹脂製やゴム製などの柔らかい小さなビーズを詰めて構成することが出来る。ビーズの材質は特に限定せず、発泡樹脂やウレタン樹脂などが適している。又、発泡樹脂を所定の凸部形状に成形することで構成することも出来る。そして、凸部１を手に装着する為の紐には解けないようにカギなどのロック手段を別に設けることも必要な場合がある。すなわち、痴呆症患者によっては単に紐を締めただけでは解いてしまう為に、これを防止する必要がある。
【図面の簡単な説明】
【００２３】
【図１】本発明に係る介護用具を示す実施例。
【図２】本発明の介護用具を手の甲に取付けた場合。
【図３】本発明に係る介護用具を示す他の実施例。
【図４】本発明に係る介護用具を示す別の実施例。
【符号の説明】
【００２４】
１  凸部
２  前紐
３  締結紐
４  指挿入空間
５  中指
６  薬指
７  手首
８  表面
９  手袋
10  バンド
11  粘着テープ
12  繋ぎ
【図１】
2006312011.tif 000003
【図２】
2006312011.tif 000004
【図３】
2006312011.tif 000005
【図４】
2006312011.tif 000006